(57)【要約】【課題】キャッシュレス投票端末の利用の促進を図ること。【解決手段】公営競技投票システム１は、キャッシュレス投票端末２０と現金投票端末１０とを有する。キャッシュレス投票端末２０は、現金を使用しない投票が可能であり、投票内容が印刷されたレシートを発行する投票端末である。また、キャッシュレス投票端末２０は、配当金の払戻機能を有さない投票券である記念投票券の発行用のコードである特別コードが印刷されたレシートを発行する。一方で、現金投票端末１０は、現金を使用した投票が可能であり、投票内容が印刷された投票券を発行する。また、現金投票端末１０は、レシートに印刷された特別コードを読み取ったときに、投票内容が印刷された記念投票券を発行する。【選択図】図１
2019121101.tif 000002
【特許請求の範囲】
【請求項１】
現金を使用せずに投票が可能であり、投票内容が印刷されたレシートを発行するキャッシュレス投票端末と、
現金を使用した投票が可能であり、投票内容が印刷された投票券を発行する現金投票端末と、
を具備する公営競技投票システムであって、
前記キャッシュレス投票端末は、前記投票内容と、配当金の払戻機能を有さない投票券である記念投票券の発行用のコードである特別コードとが印刷された前記レシートを発行し、
前記現金投票端末は、前記レシートに印刷された前記特別コードを読み取ったときに、前記投票内容が印刷された前記記念投票券を発行する、
公営競技投票システム。
【請求項２】
前記キャッシュレス投票端末は、
前記キャッシュレス投票端末を用いた投票の際に使用された複数のマークカードの各々に対応する複数の投票内容の各々に対応する複数の第一の前記特別コードの各々を、前記複数の投票内容の各々に付随させて前記レシートに印刷するとともに、前記複数の投票内容のすべてに対応する一つの第二の前記特別コードを前記レシートに印刷し、
前記現金投票端末は、
前記複数の第一の特別コードの何れか一つを読み取ったときは、読み取った一つの前記第一の特別コードに対応する一枚の前記記念投票券を発行する一方で、前記第二の特別コードを読み取ったときは、前記複数の投票内容の各々に対応する複数枚の前記記念投票券を一括して発行する、
請求項１に記載の公営競技投票システム。
【請求項３】
前記現金投票端末は、レース確定後における前記記念投票券の印刷内容を、レース確定前における前記記念投票券の印刷内容と異ならせる、
請求項１に記載の公営競技投票システム。
【請求項４】
前記現金投票端末は、的中したレースの前記記念投票券の印刷内容を、的中しなかったレースの前記記念投票券の印刷内容と異ならせる、
請求項１に記載の公営競技投票システム。
【請求項５】
現金を使用せずに投票が可能であり、投票内容が印刷されたレシートを発行するキャッシュレス投票端末であって、
前記投票内容と、配当金の払戻機能を有さない投票券である記念投票券の発行用のコードである特別コードとを前記レシートに印刷する印刷部と、
前記投票内容と前記特別コードとが印刷された前記レシートを排出するレシート排出口と、
を具備するキャッシュレス投票端末。
【請求項６】
現金を使用した投票が可能であり、投票内容が印刷された投票券を発行する現金投票端末であって、
現金を使用せずに投票が可能であり、投票内容が印刷されたレシートを発行するキャッシュレス投票端末が発行した前記レシートに印刷されたコードであって、配当金の払戻機能を有さない投票券である記念投票券の発行用の前記コードである特別コードを読み取るコードリーダと、
前記レシートに印刷された前記特別コードが読み取られたときに、前記投票内容が印刷された前記記念投票券を排出する投票券排出口と、
を具備する現金投票端末。
【発明の詳細な説明】
【技術分野】
【０００１】
本発明は、公営競技投票システム、キャッシュレス投票端末及び現金投票端末に関する。
【背景技術】
【０００２】
競馬、競輪、競艇及びオートレース等の公営競技では、最近、現金を使用せずに投票が可能な「キャッシュレス投票端末」が普及しつつある。キャッシュレス投票端末を用いた投票では、投票者は、入金精算機にて入金した会員カードを用いることで、現金を使用せずに簡単・スピーディーな投票が可能である。
【先行技術文献】
【特許文献】
【０００３】
【特許文献１】特開２０１３−０９２９３９号公報
【特許文献２】特開２０１４−２１５７７０号公報
【発明の概要】
【発明が解決しようとする課題】
【０００４】
キャッシュレス投票端末を使用した投票では、投票が的中した際には、投票時に使用した会員カードに対応する会員情報に配当金が自動的に入金される。このため、キャッシュレス投票端末を使用した投票が行われたときには、キャッシュレス端末からは、投票内容が印刷された一方で払戻機能を有しないレシートが発行されるが、払戻機能を有する通常の投票券は発行されない。また、レシートの形状及び紙質は、投票券の形状及び紙質と異なる。このため、キャッシュレス投票端末を使用して投票を行う投票者の中には、自分の投票内容が印刷された投票券を入手したい者も存在する。よって、キャッシュレス投票端末を使用した投票において投票券の入手が困難なことは、キャッシュレス投票端末の利用の促進を妨げる一因となっている。
【０００５】
開示の技術は、上記に鑑みてなされたものであって、キャッシュレス投票端末の利用の促進を図ることを目的とする。
【課題を解決するための手段】
【０００６】
開示の態様では、公営競技投票システムは、現金を使用せずに投票が可能であり、投票内容が印刷されたレシートを発行するキャッシュレス投票端末と、現金を使用した投票が可能であり、投票内容が印刷された投票券を発行する現金投票端末とを有する。前記キャッシュレス投票端末は、配当金の払戻機能を有さない投票券である記念投票券の発行用のコードである特別コードが印刷された前記レシートを発行する。前記現金投票端末は、前記レシートに印刷された前記特別コードを読み取ったときに、前記投票内容が印刷された前記記念投票券を発行する。
【発明の効果】
【０００７】
開示の態様によれば、キャッシュレス投票端末の利用の促進を図ることができる。
【図面の簡単な説明】
【０００８】
【図１】図１は、実施例１の公営競技投票システムの構成例を示す図である。
【図２】図２は、実施例１の現金投票端末の外観の一例を示す図である。
【図３】図３は、実施例１の現金投票端末の構成例を示す図である。
【図４】図４は、実施例１のキャッシュレス投票端末の外観の一例を示す図である。
【図５】図５は、実施例１のキャッシュレス投票端末の構成例を示す図である。
【図６】図６は、実施例１の公営競技投票システムの動作例の説明に供する図である。
【図７】図７は、実施例１の公営競技投票システムの動作例の説明に供する図である。
【図８】図８は、実施例１の公営競技投票システムの動作例の説明に供する図である。
【図９】図９は、実施例１の公営競技投票システムの動作例の説明に供する図である。
【図１０】図１０は、実施例１の公営競技投票システムの動作例の説明に供する図である。
【図１１】図１１は、実施例１の公営競技投票システムの動作例の説明に供する図である。
【図１２】図１２は、実施例１の公営競技投票システムの動作例の説明に供する図である。
【図１３】図１３は、実施例１の公営競技投票システムの処理例の説明に供するフローチャートである。
【図１４】図１４は、実施例１の公営競技投票システムの処理例の説明に供するフローチャートである。
【図１５】図１５は、実施例２の現金投票端末のハードウェア構成例を示す図である。
【図１６】図１６は、実施例２のキャッシュレス投票端末のハードウェア構成例を示す図である。
【発明を実施するための形態】
【０００９】
以下に、本願の開示する公営競技投票システム、キャッシュレス投票端末及び現金投票端末を図面に基づいて説明する。なお、この実施例により本願の開示する公営競技投票システム、キャッシュレス投票端末及び現金投票端末が限定されるものではない。また、各実施例において同一の機能を有する構成、及び、同一の処理を行うステップには同一の符号を付す。以下では、公営競技の一例として競馬を挙げて説明する。しかし、本願に開示の技術が適用可能な公営競技は競馬に限定されない。本願に開示の技術は、競輪、競艇またはオートレース等、競馬以外の公営競技にも適用可能である。
【００１０】
［実施例１］
＜公営競技投票システムの構成＞
図１は、実施例１の公営競技投票システムの構成例を示す図である。図１において、公営競技投票システム１は、現金投票端末１０と、キャッシュレス投票端末２０と、ホストコンピュータ３０とを有する。現金投票端末１０とキャッシュレス投票端末２０とホストコンピュータ３０とは、互いにネットワーク４０を介して接続されており、相互に通信可能である。
【００１１】
現金投票端末１０は、現金を使用した投票が可能であり、現金による投票時の投票内容が印刷された投票券（以下では「現金投票券」と呼ぶことがある）を発行する。現金投票端末１０を用いて投票を行った投票者は、現金投票券をレース確定後に現金投票端末１０に挿入することで、配当金の払戻を受けることが可能である。つまり、現金投票券は、配当金の払戻機能を有する。
【００１２】
キャッシュレス投票端末２０は、現金を使用せずに、入金精算機にて入金した会員カードを用いた投票が可能であり、会員カードを用いた投票時の投票内容が印刷されたレシート（以下では「投票内容レシート」と呼ぶことがある）を発行する一方で投票券を発行しない。キャッシュレス投票端末２０を使用した投票では、投票が的中した際には、投票時に使用した会員カードに対応する会員情報に配当金が自動的に入金される。このため、投票内容レシートは、配当金の払戻機能を有しない。
【００１３】
なお、図１においては、一例として、それぞれ１台の現金投票端末１０とキャッシュレス投票端末２０とを示した。しかし、ネットワーク４０に接続される現金投票端末１０及びキャッシュレス投票端末２０の台数は１台に限定されず複数台であっても良い。
【００１４】
＜現金投票端末の外観＞
図２は、実施例１の現金投票端末の外観の一例を示す図である。図２において、現金投票端末１０は、運用状況表示窓１０１と、投票券挿入口１０２と、投票券排出口１０３と、マークカード挿入排出口１０４と、紙幣投入排出口１０５と、硬貨投入口１０６と、硬貨排出口１０７と、タッチパネル１０８と、コードリーダ１０９とを有する。
【００１５】
運用状況表示窓１０１は、現金投票端末１０において投票券の発行受付中であるか発行停止中であるかを表示する。また、運用状況表示窓１０１は、現金投票端末１０において的中券の払戻受付中であるか払戻停止中であるかを表示する。
【００１６】
投票券挿入口１０２には、当たりか外れかが確定している現金投票券が挿入される。
【００１７】
投票券排出口１０３は、投票券を排出する。
【００１８】
マークカード挿入排出口１０４は、マークカードを挿入される一方で、返却されるマークカードを排出する。投票者は、マークカードにより投票内容を指定する。
【００１９】
紙幣投入排出口１０５は、紙幣を投入される一方で、返却される紙幣または釣銭とされる紙幣を排出する。
【００２０】
硬貨投入口１０６は、硬貨を投入される。
【００２１】
硬貨排出口１０７は、返却される硬貨または釣銭とされる硬貨を排出する。
【００２２】
タッチパネル１０８は、操作案内、レース案内、及び、マークカードによる投票内容等の各種の画面を表示し、各種の入力や投票内容の修正等の際にタッチ操作される。
【００２３】
コードリーダ１０９は、投票内容レシートに印刷されたコードを読み取る。
【００２４】
なお、現金投票端末１０において、投票券挿入口１０２と投票券排出口１０３とを一体構成としても良い。また、硬貨投入口１０６と硬貨排出口１０７とを一体構成としても良い。また、マークカード挿入排出口１０４を、マークカード挿入口とマークカード排出口とのように、別体構成としても良い。また、紙幣投入排出口１０５を、紙幣投入口と紙幣排出口とのように、別体構成としても良い。
【００２５】
＜現金投票端末の構成＞
図３は、実施例１の現金投票端末の構成例を示す図である。図３において、現金投票端末１０は、制御部１１と、通信部１２と、コードリーダ１０９と、印刷部１４と、タッチパネル１０８とを有する。通信部１２、コードリーダ１０９、印刷部１４及びタッチパネル１０８は、制御部１１による制御の下で動作する。通信部１２は、ネットワーク４０を介してホストコンピュータ３０と通信する。
【００２６】
＜キャッシュレス投票端末の外観＞
図４は、実施例１のキャッシュレス投票端末の外観の一例を示す図である。図４において、キャッシュレス投票端末２０は、タッチパネル２０１と、会員カードリーダ２０２と、マークカード挿入排出口２０３と、レシート排出口２０４とを有する。
【００２７】
会員カードリーダ２０２は、会員カードに記録された会員番号や入金金額等の情報（以下では「会員カード記録情報」と呼ぶことがある）を読み取る。会員カードリーダ２０２は、近距離での無線通信により、会員カードから会員カード記録情報を読み取る。
【００２８】
マークカード挿入排出口２０３は、マークカードを挿入される一方で、返却されるマークカードを排出する。投票者は、マークカードにより投票内容を指定する。
【００２９】
レシート排出口２０４は、投票内容レシートを排出する。
【００３０】
＜キャッシュレス投票端末の構成＞
図５は、実施例１のキャッシュレス投票端末の構成例を示す図である。図５において、キャッシュレス投票端末２０は、制御部２１と、通信部２２と、会員カードリーダ２０２と、マークカードリーダ２３と、印刷部２４とを有する。通信部２２、会員カードリーダ２０２、マークカードリーダ２３及び印刷部２４は、制御部２１による制御の下で動作する。通信部２２は、ネットワーク４０を介してホストコンピュータ３０と通信する。マークカードリーダ２３は、マークカード挿入排出口２０３に挿入されたマークカードを読み取る。投票者は、マークカードにより投票内容を指定する。印刷部２４は、投票内容レシートを印刷する。
【００３１】
＜公営競技投票システムの動作＞
以下、公営競技投票システムの動作について、動作例１〜３を挙げて説明する。図６〜図１２は、実施例１の公営競技投票システムの動作例の説明に供する図である。以下では、投票内容レシートに印刷されるコードとして、二次元のコードであるＱＲコード（登録商標）を一例に挙げて説明する。しかし、本願に開示の技術が適用可能なコードはＱＲコード（登録商標）等の二次元のコードに限定されない。本願に開示の技術は、バーコード等の一次元のコードにも適用可能である。
【００３２】
＜動作例１：図６，７＞
動作例１では、キャッシュレス投票端末２０は、会員カードを用いた投票時に、図６に示す投票内容レシートＲ１を発行する。制御部２１は、図６に示す投票内容レシートＲ１を印刷部２４に印刷させレシート排出口２０４から排出させる。投票内容レシートＲ１には、マークカードリーダ２３が１枚のマークカードを読み取ることにより取得された投票内容Ｖ１が印刷されるとともに、配当金の払戻機能を有さない投票券（以下では「記念投票券」と呼ぶことがある）の発行用のＱＲコード（登録商標）（以下では「特別コード」と呼ぶことがある）Ｃ１が印刷される。制御部２１は、投票内容Ｖ１に従って、投票内容Ｖ１を表す特別コードＣ１を生成する。つまり、特別コードＣ１は投票内容Ｖ１に対応する。また、特別コードＣ１には、自身が特別コードであることを示す「特別コードマーク」が含まれる。
【００３３】
キャッシュレス投票端末２０を用いて投票を行った投票者は、記念投票券の入手を希望する際には、自分が所有する投票内容レシートＲ１に印刷された特別コードＣ１を現金投票端末１０のコードリーダ１０９に翳す。
【００３４】
現金投票端末１０において、制御部１１は、コードリーダ１０９により特別コードＣ１が読み取られたときに、読み取られた特別コードＣ１に基づいて、図７に示す記念投票券Ａ１を発行する。制御部１１は、コードリーダ１０９が読み取ったＱＲコード（登録商標）に特別コードマークが含まれるときに、読み取られたＱＲコード（登録商標）が特別コードであると判断する。制御部１１は、コードリーダ１０９により特別コードＣ１が読み取られると、特別コードＣ１に基づいて図７に示す記念投票券Ａ１を印刷部１４に印刷させ投票券排出口１０３から排出させる。記念投票券Ａ１には、投票内容レシートＲ１に印刷されている投票内容Ｖ１が印刷される一方で、投票内容Ｖ１を表すＱＲコード（登録商標）、及び、投票内容Ｖ１を表す数字列は印刷されない。このように、記念投票券Ａ１は、投票内容Ｖ１を表すＱＲコード（登録商標）、及び、投票内容Ｖ１を表す特定の数字列を有しないため、配当金の払戻機能を有しない。現金投票端末１０は、投票券に印刷されたＱＲコード（登録商標）、または、投票券に印刷された特定の数字列を認識したときに、配当金の払戻しを行うからである。
【００３５】
＜動作例２：図８，９，１０＞
動作例２では、キャッシュレス投票端末２０は、会員カードを用いた投票時に、図８に示す投票内容レシートＲ２を発行する。制御部２１は、図８に示す投票内容レシートＲ２を印刷部２４に印刷させレシート排出口２０４から排出させる。投票内容レシートＲ２には、マークカードリーダ２３が３枚のマークカードを読み取ることにより取得された投票内容Ｖ１，Ｖ２，Ｖ３が印刷されるとともに、特別コードＣ１，Ｃ２，Ｃ３が印刷される。投票内容Ｖ１はマークカードリーダ２３によって読み取られた３枚のマークカードのうちの１枚目のマークカードにより指定された投票内容であり、投票内容Ｖ２はマークカードリーダ２３によって読み取られた３枚のマークカードのうちの２枚目のマークカードにより指定された投票内容であり、投票内容Ｖ３はマークカードリーダ２３によって読み取られた３枚のマークカードのうちの３枚目のマークカードにより指定された投票内容である。制御部２１は、投票内容Ｖ１に従って、投票内容Ｖ１を表す特別コードＣ１を生成し、投票内容Ｖ２に従って、投票内容Ｖ２を表す特別コードＣ２を生成し、投票内容Ｖ３に従って、投票内容Ｖ３を表す特別コードＣ３を生成する。つまり、特別コードＣ１は投票内容Ｖ１に対応し、特別コードＣ２は投票内容Ｖ２に対応し、特別コードＣ３は投票内容Ｖ３に対応する。また、特別コードＣ１，Ｃ２，Ｃ３の各々には、特別コードマークが含まれる。印刷部２４は、制御部２１の制御に従って、図８に示すように、特別コードＣ１，Ｃ２，Ｃ３の各々を、投票内容Ｖ１，Ｖ２，Ｖ３の各々に付随させて投票内容レシートＲ２に印刷する。
【００３６】
また、制御部２１は、投票内容Ｖ１，Ｖ２，Ｖ３に従って、複数の投票内容Ｖ１，Ｖ２，Ｖ３を表す一つの特別コード（以下では「一括特別コード」と呼ぶことがある）ＣＣを生成する。つまり、一括特別コードＣＣは投票内容Ｖ１，Ｖ２，Ｖ３のすべてに対応する。また、一括特別コードＣＣには、自身が一括特別コードであることを示す「一括特別コードマーク」と、「発行枚数Ｎ」が含まれる。ここでは、一括特別コードＣＣは投票内容Ｖ１，Ｖ２，Ｖ３の３つの投票内容に対応するため、制御部２１は、発行枚数Ｎを「３」に設定する。印刷部２４は、制御部２１の制御に従って、図８に示すように、一括特別コードＣＣを、投票内容レシートＲ２において、特別コードＣ１，Ｃ２，Ｃ３の上方に印刷する。
【００３７】
キャッシュレス投票端末２０を用いて投票を行った投票者は、記念投票券の入手を希望する際には、自分が所有する投票内容レシートＲ２に印刷された特別コードＣ１，Ｃ２，Ｃ３、または、一括特別コードＣＣの何れかを現金投票端末１０のコードリーダ１０９に翳す。
【００３８】
現金投票端末１０において、制御部１１は、コードリーダ１０９により特別コードＣ１が読み取られたときは、実施例１と同様に、読み取られた特別コードＣ１に基づいて、図７に示す記念投票券Ａ１を発行する。
【００３９】
また、現金投票端末１０において、制御部１１は、コードリーダ１０９により特別コードＣ２が読み取られたときは、読み取られた特別コードＣ２に基づいて、図９に示す記念投票券Ａ２を発行する。制御部１１は、コードリーダ１０９により特別コードＣ２が読み取られると、特別コードＣ２に基づいて図９に示す記念投票券Ａ２を印刷部１４に印刷させ投票券排出口１０３から排出させる。記念投票券Ａ２には、投票内容レシートＲ２に印刷されている投票内容Ｖ２が印刷される一方で、投票内容Ｖ２を表すＱＲコード（登録商標）、及び、投票内容Ｖ２を表す数字列は印刷されない。このように、記念投票券Ａ２は、投票内容Ｖ２を表すＱＲコード（登録商標）、及び、投票内容Ｖ２を表す特定の数字列を有しないため、配当金の払戻機能を有しない。
【００４０】
また、現金投票端末１０において、制御部１１は、コードリーダ１０９により特別コードＣ３が読み取られたときは、読み取られた特別コードＣ３に基づいて、図１０に示す記念投票券Ａ３を発行する。制御部１１は、コードリーダ１０９により特別コードＣ３が読み取られると、特別コードＣ３に基づいて図１０に示す記念投票券Ａ３を印刷部１４に印刷させ投票券排出口１０３から排出させる。記念投票券Ａ３には、投票内容レシートＲ２に印刷されている投票内容Ｖ３が印刷される一方で、投票内容Ｖ３を表すＱＲコード（登録商標）、及び、投票内容Ｖ３を表す数字列は印刷されない。このように、記念投票券Ａ３は、投票内容Ｖ３を表すＱＲコード（登録商標）、及び、投票内容Ｖ３を表す特定の数字列を有しないため、配当金の払戻機能を有しない。
【００４１】
一方で、現金投票端末１０において、制御部１１は、コードリーダ１０９により一括特別コードＣＣが読み取られたときは、読み取られた一括特別コードＣＣに基づいて、投票内容Ｖ１，Ｖ２，Ｖ３の各々に対応する記念投票券Ａ１，Ａ２，Ａ３の３枚の記念投票券を一括して発行する。制御部１１は、コードリーダ１０９により一括特別コードＣＣが読み取られると、一括特別コードＣＣに基づいて、記念投票券Ａ１，Ａ２，Ａ３（図７，９，１０）の３枚の記念投票券を一括して印刷部１４に印刷させ投票券排出口１０３から排出させる。制御部１１は、コードリーダ１０９が読み取ったＱＲコード（登録商標）に一括特別コードマークが含まれるときに、読み取られたＱＲコード（登録商標）が一括特別コードであると判断する。また、制御部１１は、読み取られたＱＲコード（登録商標）が一括特別コードであると判断すると、一括特別コードＣＣから発行枚数Ｎ（ここでは、Ｎ＝３）を取得し、発行枚数Ｎが「３」であることに従って、３枚の記念投票券Ａ１，Ａ２，Ａ３を一括して発行する。
【００４２】
＜動作例３：図１１，１２＞
動作例３では、現金投票端末１０において、制御部１１は、コードリーダ１０９により特別コードＣ１が読み取られたときに、読み取られた特別コードＣ１に基づいて、図７に示す記念投票券Ａ１、図１１に示す記念投票券Ａ４、または、図１２に示す記念投票券Ａ５の何れかを発行する。
【００４３】
制御部１１は、特別コードＣ１に対応する投票内容Ｖ１の対象となるレースの確定前に特別コードＣ１が読み取られたときは、記念投票券Ａ４（図１１）を発行する。記念投票券Ａ４には、実施例１と同様に、投票内容レシートＲ１に印刷されている投票内容Ｖ１が印刷される。さらに、記念投票券Ａ４には、レース確定前に発行された記念投票券に特有のメッセージＭ１が印刷される。ここでは、一例として、メッセージＭ１の内容は、投票された買い目の馬を応援するメッセージである「ファイト！」となっている。以下では、レース確定前に発行された記念投票券に特有のメッセージＭ１が印刷された記念投票券を「応援記念投票券」と呼ぶことがある。
【００４４】
また、制御部１１は、特別コードＣ１に対応する投票内容Ｖ１の対象となるレースの確定後に特別コードＣ１が読み取られたときは、記念投票券Ａ１（図７）、または、記念投票券Ａ５（図１２）の何れかを発行する。
【００４５】
制御部１１は、レースの確定後に特別コードＣ１が読み取られ、かつ、特別コードＣ１に対応する投票内容Ｖ１が的中している場合は、記念投票券Ａ５を発行する。記念投票券Ａ５には、実施例１と同様に、投票内容レシートＲ１に印刷されている投票内容Ｖ１が印刷される。さらに、記念投票券Ａ５には、的中した投票内容に特有のメッセージＭ２が印刷される。ここでは、一例として、メッセージＭ２の内容は「的中」となっている。以下では、的中した投票内容に特有のメッセージＭ２が印刷された記念投票券を「的中記念投票券」と呼ぶことがある。
【００４６】
一方で、制御部１１は、レースの確定後に特別コードＣ１が読み取られ、かつ、特別コードＣ１に対応する投票内容Ｖ１が的中していない場合は、記念投票券Ａ１を発行する。記念投票券Ａ１には、投票内容レシートＲ１に印刷されている投票内容Ｖ１が印刷される一方で、メッセージＭ１，Ｍ２は印刷されない。以下では、投票内容が印刷される一方で、メッセージＭ１，Ｍ２が印刷されない記念投票券を「通常記念投票券」と呼ぶことがある。
【００４７】
なお、制御部１１は、特別コードＣ１に対応する投票内容Ｖ１の対象となるレースが確定前であるか確定後であるかを示す情報、及び、特別コードＣ１に対応する投票内容Ｖ１が的中しているか的中していないかを示す情報を、通信部１２を介したホストコンピュータ３０との通信により、ホストコンピュータ３０から取得する。
【００４８】
＜公営競技投票システムの処理＞
図１３及び図１４は、実施例１の公営競技投票システムの処理例の説明に供するフローチャートである。図１３には、キャッシュレス投票端末２０の処理例を示し、図１４には、現金投票端末１０の処理例を示す。
【００４９】
図１３に示すフローチャートは、会員カードに記録された会員カード記録情報がキャッシュレス投票端末２０の会員カードリーダ２０２によって読み取られたときに開始される。
【００５０】
ステップＳＴ３１では、制御部２１は、会員カード記録情報に基づいて、会員の個人認証を行う。制御部２１は、会員カード記録情報に含まれる会員番号が、ホストコンピュータ３０に登録されているか否かを確認することにより会員の個人認証を行う。会員カード記録情報に含まれる会員番号がホストコンピュータ３０に登録されている場合は、個人認証の結果が「ＯＫ」となり処理はステップＳＴ３３へ進む。一方で、会員カード記録情報に含まれる会員番号がホストコンピュータ３０に登録されていない場合は、個人認証の結果が「ＮＧ」となり、ステップＳＴ３３〜ＳＴ３７の処理は行われずに、処理は終了する。
【００５１】
ステップＳＴ３３では、マークカード挿入排出口２０３に挿入されたマークカードをマークカードリーダ２３が読み取る。
【００５２】
次いで、ステップＳＴ３５では、ステップＳＴ３３で読み取られたマークカードに指定された投票内容に従って、制御部２１が投票を行う。投票は、制御部２１が、投票内容を会員番号に対応付けて通信部２２を介してホストコンピュータ３０へ送信し、ホストコンピュータ３０が、会員番号に対応付けて投票内容を登録することにより行われる。
【００５３】
次いで、ステップＳＴ３７では、制御部２１は、投票内容レシートを発行する。
【００５４】
一方で、図１４に示すフローチャートは、投票内容レシートに印刷された特別コードまたは一括特別コードが現金投票端末１０のコードリーダ１０９によって読み取られたときに開始される。
【００５５】
ステップＳＴ４１では、制御部１１は、コードリーダ１０９によって読み取られた特別コードが一括特別コードであるか否かを判断する。コードリーダ１０９によって読み取られた特別コードが一括特別コードでない場合は（ステップＳＴ４１：Ｎｏ）、処理はステップＳＴ４３へ進み、コードリーダ１０９によって読み取られた特別コードが一括特別コードである場合は（ステップＳＴ４１：Ｙｅｓ）、処理はステップＳＴ５３へ進む。
【００５６】
ステップＳＴ４３では、制御部１１は、特別コードに対応する投票内容の対象となるレースが確定前であるか否かを判断する。対象となるレースが確定前であれば（ステップＳＴ４３：Ｙｅｓ）、処理はステップＳＴ４５へ進み、対象となるレースが確定後であれば（ステップＳＴ４３：Ｎｏ）、処理はステップＳＴ４７へ進む。
【００５７】
ステップＳＴ４５では、制御部１１は、特別コードに対応する投票内容が印刷された応援記念投票券を発行する。
【００５８】
一方で、ステップＳＴ４７では、制御部１１は、特別コードに対応する投票内容が的中しているか否かを判断する。特別コードに対応する投票内容が的中している場合は（ステップＳＴ４７：Ｙｅｓ）、処理はステップＳＴ４９へ進み、特別コードに対応する投票内容が的中していない場合は（ステップＳＴ４７：Ｎｏ）、処理はステップＳＴ５１へ進む。
【００５９】
ステップＳＴ４９では、制御部１１は、特別コードに対応する投票内容が印刷された的中記念投票券を発行する。
【００６０】
また、ステップＳＴ５１では、制御部１１は、特別コードに対応する投票内容が印刷された通常記念投票券を発行する。
【００６１】
特別コードに対応する投票内容が印刷された応援記念投票券、的中記念投票券または通常記念投票券の発行により、処理は終了する。
【００６２】
一方で、ステップＳＴ５３では、制御部１１は、コードリーダ１０９によって読み取られた一括特別コードから発行枚数Ｎを取得する。
【００６３】
次いで、ステップＳＴ５５では、制御部１１は、発行枚数カウンタｎを「１」にリセットする。
【００６４】
次いで、ステップＳＴ５７では、制御部１１は、一括特別コードに対応する複数の投票内容のうちｎ番目の投票内容の対象となるレースが確定前であるか否かを判断する。対象となるレースが確定前であれば（ステップＳＴ５７：Ｙｅｓ）、処理はステップＳＴ５９へ進み、対象となるレースが確定後であれば（ステップＳＴ５７：Ｎｏ）、処理はステップＳＴ６１へ進む。
【００６５】
ステップＳＴ５９では、制御部１１は、ｎ番目の投票内容が印刷された応援記念投票券を発行する。
【００６６】
一方で、ステップＳＴ６１では、制御部１１は、ｎ番目の投票内容が的中しているか否かを判断する。ｎ番目の投票内容が的中している場合は（ステップＳＴ６１：Ｙｅｓ）、処理はステップＳＴ６３へ進み、ｎ番目の投票内容が的中していない場合は（ステップＳＴ６１：Ｎｏ）、処理はステップＳＴ６５へ進む。
【００６７】
ステップＳＴ６３では、制御部１１は、ｎ番目の投票内容が印刷された的中記念投票券を発行する。
【００６８】
一方で、ステップＳＴ６５では、制御部１１は、ｎ番目の投票内容が印刷された通常記念投票券を発行する。
【００６９】
ｎ番目の投票内容が印刷された応援記念投票券、的中記念投票券または通常記念投票券の発行後、処理はステップＳＴ６７へ進む。
【００７０】
ステップＳＴ６７では、制御部１１は、発行枚数カウンタｎが発行枚数Ｎに達したか否かを判断する。発行枚数カウンタｎが発行枚数Ｎに達している場合は（ステップＳＴ６７：Ｙｅｓ）、処理は終了し、発行枚数カウンタｎが発行枚数Ｎに達していない場合は（ステップＳＴ６７：Ｎｏ）、処理はステップＳＴ６９へ進む。
【００７１】
ステップＳＴ６９では、制御部１１は、発行枚数カウンタｎをインクリメントする。ステップＳＴ６９の処理後、処理はステップＳＴ５７に戻る。
【００７２】
なお、上記説明では、キャッシュレス投票端末２０が投票券を発行しない投票端末である場合を一例に挙げて説明した。しかし、開示の技術は、投票券を発行するキャッシュレス投票端末を有する公営競技投票システムにも適用可能である。
【００７３】
以上のように、公営競技投票システム１は、キャッシュレス投票端末２０と現金投票端末１０とを有する。キャッシュレス投票端末２０は、現金を使用しない投票が可能であり、投票内容が印刷されたレシートを発行する投票端末である。また、キャッシュレス投票端末２０は、配当金の払戻機能を有さない投票券である記念投票券の発行用のコードである特別コードが印刷されたレシートを発行する。一方で、現金投票端末１０は、現金を使用した投票が可能であり、投票内容が印刷された投票券を発行する。また、現金投票端末１０は、レシートに印刷された特別コードを読み取ったときに、投票内容が印刷された記念投票券を発行する。
【００７４】
また以上のように、キャッシュレス投票端末２０は、印刷部２４とレシート排出口２０４とを有する。印刷部２４は、投票内容と、配当金の払戻機能を有さない投票券である記念投票券の発行用のコードである特別コードとをレシートに印刷する。レシート排出口２０４は、投票内容と特別コードとが印刷されたレシートを排出する。一方で、現金投票端末１０は、コードリーダ１０９と投票券排出口１０３とを有する。コードリーダ１０９は、キャッシュレス投票端末２０が発行したレシートに印刷された特別コードを読み取る。投票券排出口１０３は、レシートに印刷された特別コードが読み取られたときに、投票内容が印刷された記念投票券を排出する。
【００７５】
こうすることで、キャッシュレス投票端末を使用して投票を行う投票者でも現金投票端末を使用して記念投票券を入手することができるようになるため、キャッシュレス投票端末の利用の促進を図ることができる。
【００７６】
また以上のように、キャッシュレス投票端末２０は、キャッシュレス投票端末２０を用いた投票の際に使用された３枚のマークカードの各々に対応する投票内容Ｖ１，Ｖ２，Ｖ３の各々に対応する特別コードＣ１，Ｃ２，Ｃ３の各々を、投票内容Ｖ１，Ｖ２，Ｖ３の各々に付随させて投票内容レシートＲ２に印刷するとともに、一つの一括特別コードＣＣを投票内容レシートＲ２に印刷する。一方で、現金投票端末１０は、特別コードＣ１，Ｃ２，Ｃ３の何れか一つを読み取ったときは、読み取った一つの特別コードに対応する一枚の記念投票券を発行する一方で、一括特別コードＣＣを読み取ったときは、投票内容Ｖ１，Ｖ２，Ｖ３の各々に対応する３枚の記念投票券を一括して発行する。
【００７７】
こうすることで、投票者は、複数の投票内容の各々に対応する複数枚の記念投票券を一括して入手することが可能になるため、記念投票券の入手にあたり、投票者の利便性を向上させることができる。
【００７８】
また以上のように、現金投票端末１０は、レース確定後における記念投票券の印刷内容を、レース確定前における記念投票券の印刷内容と異ならせる。
【００７９】
こうすることで、投票者の要望に沿った印刷内容の記念投票券を発行することができる。例えば、レース確定前の記念投票券に「ファイト！」というメッセージＭ１を印刷することにより、自分が投票した買い目の馬の記念投票券を手に持って応援したいという投票者の要望を満足させることができる。よって、さらにキャッシュレス投票端末の利用の促進を図ることができる。
【００８０】
また以上のように、現金投票端末１０は、的中したレースの記念投票券の印刷内容を、的中しなかったレースの記念投票券の印刷内容と異ならせる。
【００８１】
こうすることで、的中したレースの記念投票券の保存価値を高めることができる。
【００８２】
［実施例２］
＜現金投票端末のハードウェア構成＞
現金投票端末１０は、例えば、次のようなハードウェア構成により実現することができる。図１５は、実施例２の現金投票端末のハードウェア構成例を示す図である。図１５において、現金投票端末１０は、ハードウェアの構成要素として、プロセッサ１０ａと、メモリ１０ｂと、ディスクドライブ１０ｃと、ネットワークインタフェースモジュール１０ｄと、印刷機構１０ｅと、コードリーダ１０９と、タッチパネル１０８とを有する。プロセッサ１０ａの一例として、ＣＰＵ（Central  Processing  Unit）、ＤＳＰ（Digital  Signal  Processor）、ＦＰＧＡ（Field  Programmable  Gate  Array）等が挙げられる。メモリ１０ｂの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００８３】
通信部１２は、例えばネットワークインタフェースモジュール１０ｄによって実現される。制御部１１は、例えばプロセッサ１０ａによって実現される。印刷部１４は、例えば印刷機構１０ｅによって実現される。
【００８４】
また、現金投票端末１０の上記説明における各処理は、各処理に対応するプログラムをプロセッサ１０ａに実行させることによって実現しても良い。例えば、上記説明における各処理に対応するプログラムがメモリ１０ｂまたはディスクドライブ１０ｃに記憶され、プログラムがプロセッサ１０ａによってメモリ１０ｂまたはディスクドライブ１０ｃから読み出されて実行されても良い。
【００８５】
＜キャッシュレス投票端末のハードウェア構成＞
キャッシュレス投票端末２０は、例えば、次のようなハードウェア構成により実現することができる。図１６は、実施例２のキャッシュレス投票端末のハードウェア構成例を示す図である。図１６において、キャッシュレス投票端末２０は、ハードウェアの構成要素として、プロセッサ２０ａと、メモリ２０ｂと、ディスクドライブ２０ｃと、ネットワークインタフェースモジュール２０ｄと、印刷機構２０ｅと、会員カードリーダ２０２と、マークカードリーダ２３とを有する。プロセッサ２０ａの一例として、ＣＰＵ、ＤＳＰ、ＦＰＧＡ等が挙げられる。メモリ２０ｂの一例として、ＳＤＲＡＭ等のＲＡＭ、ＲＯＭ、フラッシュメモリ等が挙げられる。
【００８６】
通信部２２は、例えばネットワークインタフェースモジュール２０ｄによって実現される。制御部２１は、例えばプロセッサ２０ａによって実現される。印刷部２４は、例えば印刷機構２０ｅによって実現される。
【００８７】
また、キャッシュレス投票端末２０の上記説明における各処理は、各処理に対応するプログラムをプロセッサ２０ａに実行させることによって実現しても良い。例えば、上記説明における各処理に対応するプログラムがメモリ２０ｂまたはディスクドライブ２０ｃに記憶され、プログラムがプロセッサ２０ａによってメモリ２０ｂまたはディスクドライブ２０ｃから読み出されて実行されても良い。
【符号の説明】
【００８８】
１  公営競技投票システム
１０  現金投票端末
２０  キャッシュレス投票端末
３０  ホストコンピュータ
１１，２１  制御部
１２，２２  通信部
１４，２４  印刷部
【図１】
2019121101.tif 000003
【図２】
2019121101.tif 000004
【図３】
2019121101.tif 000005
【図４】
2019121101.tif 000006
【図５】
2019121101.tif 000007
【図６】
2019121101.tif 000008
【図７】
2019121101.tif 000009
【図８】
2019121101.tif 000010
【図９】
2019121101.tif 000011
【図１０】
2019121101.tif 000012
【図１１】
2019121101.tif 000013
【図１２】
2019121101.tif 000014
【図１３】
2019121101.tif 000015
【図１４】
2019121101.tif 000016
【図１５】
2019121101.tif 000017
【図１６】
2019121101.tif 000018